(57)【特許請求の範囲】
【請求項１】
テーブルや棚板等を構成する板材２への取り付け部材３と、取り付け部材３に係合させ得る連結材４をもって構成され、板材２への取り付け部材３には、連結材４を係合させる保持部５と、連結材４に形成した嵌合部７に係合させ得る固定手段６を形成する一方、連結材４は、その一方側半部を一つの取り付け部材３に、他方側半部を別の取り付け部材３に係合させ得るように構成するとともに、それぞれの取り付け部材３・３における固定手段６を係合させる掛け止め部７・７を形成したもにであって、該固定手段６は、先端部に引っ掛け部８を有するフック部材の基部を支点軸によって揺動自在の状態として取り付けるとともに、バネ９によって常時は引っ掛け部８が下がった状態となるように付勢されているものであることを特徴とするテーブルや棚板等の連結具。
【発明の詳細な説明】
【０００１】
【産業上の利用分野】
この発明は、テーブルや棚等の天板を構成する板材の連結具に関するものである。
【０００２】
【従来の技術】
最近、購入者が自己の好みに応じて自由にアレンジできる組立家具や、アウトドアブームにともなって自由に組立・分解のできるテーブル等が多数出現しているのであるが、従来のものにあっては、天板部にヒンジ部を形成して折り畳めるようにしたり、あるいは、脚や台部分を天板から取り外し得るようにし、これにより、好みに応じてアレンジしたり、運搬時等における嵩張りを解消し得るように構成したものが一般的である。
【０００３】
【発明が解決しようとする課題】
しかし、屋内に配置する組立家具にあって、天板部分の大きさが特定された形となっていた場合、購入者が自由にアレンジできる範囲は極端に制約されることになるし、また、アウトドアで使用するテーブル等にあっては、その天板部分自体を分解できなければ、嵩張りを防止するという目的を十分発揮し得ないという欠点があるのである。
【０００４】
この発明は、テーブルや棚等の天板を構成する板材の連結具に関するものであって、これを使用することにより、従来のものに見られた上記のような問題点を解決しようとするものである。
【０００５】
【課題を解決するための手段】
この発明は、テーブルや棚等の天板を構成する板材を自由に連結できるようにするための連結具に関するものであって、板材への取り付け部材と、取り付け部材に係合させ得る連結材をもって構成され、天板を構成する各板材に取り付け部材を取り付け、それに連結材を係合させ得るようにすることによって、各板材を自由に連結して、天板等の大きさや形を自由にアレンジできるようにしようとするものである。
【０００６】
【実施例】
図面にもとづいて、この発明の一実施例を説明すると、連結具本体１は、図１乃至図３に示すとおり、テーブルや棚板等を構成する板材２への取り付け部材３と、取り付け部材３に係合させ得る連結材４をもって構成され、板材２への取り付け部材３には、連結材４を係合させる保持部５を形成するとともに、連結材４に形成した嵌合部７に係合させる固定手段６を形成し、また、連結材４は、一方半部と他方半部とをそれぞれ別の取り付け部材３・３に係合させ得るように構成されており、連結材４を取り付け部材３に差し入れ係合させた後、嵌合部７に、取り付け部材３に形成した固定手段６を係合させることによって、取り付け部材３と連結材４との係合状態を固定し得る構成となっているのである。
【０００７】
すなわち、板材２への取り付け部材３は、図１乃至図３に示すとおり、両側部に、連結材４の両側部を係合させ得る保持部５が形成されており、該保持部５に連結材４の両側部を差し入れることによって、連結材４を保持し得る構成となっているのである。
【０００８】
また、板材２への取り付け部材３の上部には、連結材４を係合させた場合、その状態を固定するための固定手段６が形成された構成となっているのである。すなわち、固定手段６は、先端部に引っ掛け部８を有するフック部材の基部を支点軸によって揺動自在の状態として取り付けるとともに、バネ９によって、常時は引っ掛け部８が下がった状態となるように付勢されており、先端部１０に指を掛けて引き上げることよって、引っ掛け部８を上方側に引き上げ得る構成となっているのである。
【０００９】
なお、上記は、固定手段としてバネ付勢された回動式の金具を使用した場合であるが、取り付け部材３に形成される固定手段の別実施例としては、図４に示すとおり、取り付け部材３に固定手段６を差し入れ得る孔１３を形成する一方、連結材４に固定手段６の先端を差し入れ得る嵌合部７を形成し、連結材４を取り付け部材３に係合させ後、固定手段６を嵌合部７に差し入れることによって固定状態とし、また、それを外すことによって、その係合固定状態を解除し得る構成とすることも可能である。
【００１０】
板材２への取り付け部材３は、上記のような構成であるが、天板や棚等を構成する板材２への取り付けに際しては、図２並びに図３に示すとおり、板材２の裏面縁部に取り付け部材３を配置させた後、取り付け孔１１からビス１２を差し入れて板材２に螺合させることによって行なわれるのである。なお、図５は、板材２に対する別の取り付け例を示すものであって、板材２の裏面端部に、予め取り付け部材３の形に対応した凹部１４を形成しておき、その凹部１４内に取り付け部材３を埋めこんだ状態で取り付けた場合を示すものである。
【００１１】
連結材４は、一方半部と他方半部を各々別の取り付け部材３に係合保持させ得る形に形成されており、また、取り付け部材３に係合保持させた場合、取り付け部材３に形成した固定手段６の引っ掛け部８が入り込む嵌合部７・７が形成された構成となっており、従って、板材２への取り付け部材３に連結材４を係合させた場合、固定手段６の引っ掛け部８が連結材４の嵌合部７に入り込み、これによって、取り付け部材３と連結材４とが連結固定状態になるとともに、固定手段６の先端部１０に指を掛けて引き上げることによって連結固定状態が解除され、両者を分離させ得る構成となっているのである。
【００１２】
【発明の効果】
この発明にかかる連結具本体１は上記のような構成であって、テーブルの天板や棚等を構成する板材２に取り付けることにより、天板や棚等を空間スペースに応じた自由な形にアレンジでき、また、必要に応じて板材２を増やせば簡単に天板や棚等の広さを簡単に大きくできるし、また、その分解も、固定手段６の操作によって簡単に行ない得るので、アウトドア用等のテーブルとして使用するような場合にあっても、携行や収納に際して、嵩張らないという便利さがあるのである。さらに、棚板として使用する場合には、家庭での棚板としてのみならず、種々店舗用でのディスプレー用の棚板として、必要に応じた大きさや形にアレンジできるという利点があるのである。
【００１３】
図６は、複数の板材２・・・を連結して天板を形成し、それに脚を取り付けてテーブルを形成した場合であり、また、図７は、複数の板材２を使用して天板を部屋の壁に沿った形にし、それに支柱を取り付けることによって段違い棚を形成した場合であり、この発明にかかる連結具を使用することにより、このような自由な形にアレンジが可能となり、また、分解すれば、各板材２の大きさにまで小さくすることが可能であるという利点があるのである。
【図面の簡単な説明】
【図１】連結具の構成を示す斜視図である。
【図２】板材への取り付け部材の取り付け状態を示す斜視図である。
【図３】板材と板材の連結固定状態を示す斜視図である。
【図４】取り付け部材における固定手段の別実施例を示す斜視図である。
【図５】板材への取り付け部材の取り付け状態を示す斜視図である。
【図６】板材を使用してテーブルを形成した場合の斜視図である。
【図７】板材を使用して棚を形成した場合の斜視図である。
【符号の説明】
１  連結具
２  板材
３  取り付け部材
４  連結材
６  固定手段
７  嵌合部
【図１】
0004148596.tif 000002
【図２】
0004148596.tif 000003
【図３】
0004148596.tif 000004
【図４】
0004148596.tif 000005
【図５】
0004148596.tif 000006
【図６】
0004148596.tif 000007
【図７】
0004148596.tif 000008